【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
以下を含むカテーテル：
遠位領域を有する管状部；
管状部の外周の少なくとも一部を取り囲むリング部品；
管状部に沿って滑動可能なリング部品；ならびに
リング部品に取り付けられる近位端、および管状部の遠位領域に連結される遠位端を有する少なくとも１つの細長部品。
【請求項２】
管状部が、内腔、外表面、および外表面と内腔との間にわたる開口部対を有し、且つ、細長部品と管状部の遠位領域との連結が開口部対を通る細長部品を含む、請求項1記載のカテーテル。
【請求項３】
細長部品が、管状部の外表面に沿ってリング部品と開口部対との間にわたる、請求項2記載のカテーテル。
【請求項４】
請求項2記載のカテーテルであって、
管状部が、外表面と内腔との間にわたり、且つ、第一の開口部対より近位側に配置された第二の開口部対を含み、且つ
細長部品が、外表面に沿って第一の開口部対と第二の開口部対との間にわたり、且つ、内腔の少なくとも一部に沿って第二の開口部対とリング部品との間にわたる、カテーテル。
【請求項５】
請求項4記載のカテーテルであって、
管状部が、外表面と内腔との間にわたり、且つ、第二の開口部対より近位側に配置された第三の開口部対を含み、且つ
細長部品が、外表面に沿って、第三の開口部対とリング部品との間にわたるカテーテル。
【請求項６】
管状部が、細長部品と管状部の遠位領域との連結部より遠位側に配置されたループを含む、請求項1記載のカテーテル。
【請求項７】
細長部品が、カテーテルの遠位領域とリング部品との間にわたる1本の糸を含む、請求項1記載のカテーテル。
【請求項８】
管状部の近位領域に取り付けられたコネクタ部品をさらに有する、請求項1記載のカテーテル。
【請求項９】
管状部の遠位領域が、その大部分にわたる少なくとも第一の剛性を規定し、且つ、管状部の近位領域が、その大部分にわたる少なくとも第二の剛性を規定し、第二の剛性が第一の剛性より弱い、請求項1記載のカテーテル。
【請求項１０】
管状部が、その遠位端から第二の剛性を規定する近位領域まで、少なくとも第一の剛性を規定する、請求項9記載のカテーテル。
【請求項１１】
コネクタ部品、管状部、少なくとも1つの細長部品、およびリング部品を含むカテーテルであって、管状部が遠位領域および近位領域を有し、コネクタ部品が管状部の近位領域に取り付けられ、細長部品がリング部品に取り付けられる近位端と管状部の遠位領域に連結される遠位端とを有し、リング部品が管状部に沿って滑らすことができる、カテーテル；ならびに
近位端と遠位端との間にわたる長軸方向のチャネルを有するシースと、長軸方向のチャネルを有しシースの近位端に接続されるコネクタ部品とを有する導入器；
を含むカテーテル留置キットであって、
カテーテルが導入器内に十分な形で配置されたとき、リング部品が導入器の近位端に隣接し、これにより細長部品が引っ張られ、且つ、カテーテルが導入器内に収容される際、カテーテルのコネクタ部品を導入器のコネクタ部品に取り外し可能な状態で取り付けることができる、カテーテル留置キット。
【請求項１２】
管状部が、内腔、外表面、および外表面と内腔との間にわたる開口部対を含み、且つ、細長部品と管状部の遠位領域との連結が開口部対を通る細長部品を含む、請求項11記載のカテーテル留置キット。
【請求項１３】
細長部品が、管状部の外表面に沿ってリング部品と開口部対との間にわたる、請求項12記載のカテーテル留置キット。
【請求項１４】
請求項12記載のカテーテル留置キットであって、
管状部が、外表面と内腔との間にわたり且つ第一の開口部対より近位側に配置された第二の開口部対を含み、且つ
細長部品が、外表面に沿って第一の開口部対と第二の開口部対との間にわたり、且つ、内腔の少なくとも一部に沿って第二の開口部対とリング部品との間にわたる、カテーテル留置キット。
【請求項１５】
請求項14記載のカテーテル留置キットであって、
管状部が、外表面と内腔との間にわたり且つ第二の開口部対より近位側に配置された第三の開口部対を含み、且つ
細長部品が、外表面に沿って、第三の開口部対とリング部品との間にわたる、カテーテル留置キット。
【請求項１６】
管状部が、細長部品と管状部の遠位領域との連結部より遠位側に配置されたループを含む、請求項11記載のカテーテル留置キット。
【請求項１７】
細長部品が、カテーテルの遠位領域とリング部品との間にわたる1本の糸を含む、請求項11記載のカテーテル留置キット。
【請求項１８】
管状部の遠位領域が、その大部分にわたる少なくとも第一の剛性を規定し、且つ、管状部の近位領域が、その大部分にわたる少なくとも第二の剛性を規定し,第二の剛性が第一の剛性より弱い、請求項11記載のカテーテル留置キット。
【請求項１９】
管状部が、その遠位端から第二の剛性を規定する近位領域まで、少なくとも第一の剛性を規定する、請求項18記載のカテーテル留置キット。
【請求項２０】
導入器の長さが、リング部品に対する細長部品の取り付け部から細長部品と管状部の遠位領域との連結部までにわたる細長部品の長さとほぼ同じである、請求項11記載のカテーテル留置キット。
【請求項２１】
リング部品に対する細長部品の取り付け部から細長部品と管状部の遠位領域との連結部までの細長部品の長さが、導入器の長さより約3mm〜10 mm長い、請求項20記載のカテーテル留置キット。
【請求項２２】
リング部品が、細長部品を引っ張るため、導入器の近位側に固定可能である、請求項11記載のカテーテル留置キット。
【請求項２３】
細長部品が、導入器の近位端に提供された締結手段によって固定可能である、請求項22記載のカテーテル留置キット。
【請求項２４】
締結手段が締め付け装置を含む、請求項23記載のカテーテル留置キット。
【請求項２５】
締め付け装置が、細長部品を圧入で固定可能なスロットを含む、請求項24記載のカテーテル留置キット。
【請求項２６】
細長部品が、細長部品とカテーテルとの連結部位からカテーテルの外表面に沿ってわたる、請求項11記載のカテーテル留置キット。
【請求項２７】
締結手段が、細長部品を摩擦嵌め合いにより固定可能なスリットを含む、請求項23記載のカテーテル留置キット。
【請求項２８】
細長部品が、カテーテルの遠位端から限られた距離でカテーテルに連結される、請求項11記載のカテーテル留置キット。
【請求項２９】
内腔を有する針をさらに含む、請求項11記載のカテーテル留置キット。
【請求項３０】
針の内腔内に合うよう構成されたガイドワイヤをさらに含む、請求項29記載のカテーテル留置キット。
【請求項３１】
ガイドワイヤ上を横切るよう構成された内腔を有する拡張器をさらに含む、請求項30記載のカテーテル留置キット。
【請求項３２】
拡張器を導入器内に十分な形で配置したとき拡張器が導入器のシースの遠位端に位置するように配置された放射線不透過性部分を含む、請求項31記載のカテーテル留置キット。
【請求項３３】
管状部内に合うよう構成されたガイドピンをさらに含む、請求項11記載のカテーテル留置キット。
【請求項３４】
管状部と、少なくとも1つの細長部品と、ストップ部品とを含むカテーテルであって、管状部が遠位領域を有し、細長部品が長さと近位端と遠位端とを有し、細長部品の遠位端が管状部の遠位領域に取り付けられ、細長部品の近位端がストップ部品に取り付けられ、且つ、ストップ部品が管状部に沿って滑動可能である、カテーテル；ならびに
ハブとシースとを含む導入器であって、シースが近位端と遠位端との間にわたる長軸方向のチャネルを有し、ハブが長軸方向のチャネルを有し且つシースの近位端に接続され、且つ、接続されたハブおよびシースが長さを有する導入器
を含むカテーテル留置キットであって、
細長部品の長さがハブおよびシースの長さより約3〜10 mm長く、且つ、カテーテルが導入器内に十分な形で配置されたとき、ストップ部品が導入器の近位端に隣接し、これにより細長部品が引っ張られる、カテーテル留置キット。
【請求項３５】
管状部が、内腔、外表面、および外表面と内腔との間にわたる開口部対を有し、且つ、細長部品と管状部の遠位領域との連結が、開口部対を通る細長部品を含む、請求項34記載のカテーテル留置キット。
【請求項３６】
細長部品が、管状部の外表面に沿って、ストップ部品と開口部対との間にわたる、請求項35記載のカテーテル留置キット。
【請求項３７】
請求項35記載のカテーテル留置キットであって、
管状部が、外表面と内腔との間にわたり且つ第一の開口部対より近位側に配置された第二の開口部対を含み、且つ
細長部品が、外表面に沿って第一の開口部対と第二の開口部対との間にわたり、且つ、内腔の少なくとも一部に沿って第二の開口部対とストップ部品との間にわたる、カテーテル留置キット。
【請求項３８】
請求項37記載のカテーテル留置キットであって、
管状部が、外表面と内腔との間にわたり且つ第二の開口部対より近位側に配置された第三の開口部対を含み、且つ
細長部品が、外表面に沿って第三の開口部対とストップ部品との間にわたる、カテーテル留置キット。
【請求項３９】
管状部が、細長部品と管状部の遠位領域との連結部より遠位側に配置されたループを含む、請求項記載34のカテーテル留置キット。
【請求項４０】
細長部品が、カテーテルの遠位領域とストップ部品との間にわたる1本の糸を含む、請求項記載34のカテーテル留置キット。
【請求項４１】
管状部の遠位領域が、その大部分にわたる少なくとも第一の剛性を規定し、且つ、管状部の近位領域が、その大部分にわたる少なくとも第二の剛性を規定し、第二の剛性が第一の剛性より弱い、請求項34記載のカテーテル留置キット。
【請求項４２】
管状部が、その遠位端から第二の剛性を規定する近位領域まで、少なくとも第一の剛性を規定する、請求項41記載のカテーテル留置キット。
【請求項４３】
導入器の長さが、ストップ部品に対する細長部品の取り付け部から細長部品と管状部の遠位領域との連結部までにわたる細長部品の長さとほぼ同じである、請求項34記載のカテーテル留置キット。
【請求項４４】
ストップ部品が、細長部品を引っ張るため、導入器より近位側に固定可能である、請求項34記載のカテーテル留置キット。
【請求項４５】
細長部品が、導入器の近位端に提供された締結手段によって固定可能である、請求項44記載のカテーテル留置キット。
【請求項４６】
締結手段が締め付け装置を含む、請求項45記載のカテーテル留置キット。
【請求項４７】
締め付け装置が、細長部品を圧入で固定可能なスロットを含む、請求項45記載のカテーテル留置キット。
【請求項４８】
ストップ部品が、カテーテル上に提供されたリングを含む、請求項34記載のカテーテル留置キット。
【請求項４９】
細長部品が、細長部品とカテーテルとの連結部位からカテーテルの外表面に沿ってわたる、請求項34記載のカテーテル留置キット。
【請求項５０】
締結手段が、細長部品を摩擦嵌め合いにより固定可能なスリットを含む、請求項45記載のカテーテル留置キット。
【請求項５１】
細長部品が、カテーテルの遠位端から限られた距離でカテーテルに連結される、請求項34記載のカテーテル留置キット。
【請求項５２】
内腔を有する針をさらに含む、請求項34記載のカテーテル留置キット。
【請求項５３】
針の内腔内に合うよう構成されたガイドワイヤをさらに含む、請求項52記載のカテーテル留置キット。
【請求項５４】
ガイドワイヤを横切るよう構成された内腔を有する拡張器をさらに含む、請求項53記載のカテーテル留置キット。
【請求項５５】
拡張器を導入器内に十分な形で配置したとき導入器のシースの遠位端部に位置するように配置された放射線不透過性部分を含む、請求項54記載のカテーテル留置キット。
【請求項５６】
管状部内に合うよう構成されたガイドピンをさらに含む、請求項34記載のカテーテル留置キット。
【請求項５７】
カテーテルの遠位端でループを形成する方法であって、以下の段階を含む方法：
カテーテルの外周の少なくとも一部を取り囲むリング部品を引っ張る段階であって、リングが細長部品の近位端に取り付けられ、細長部品の遠位端がカテーテルの遠位端に取り付けられ、細長部品がカテーテルの外表面に沿って少なくとも一部分に配置される段階。
【請求項５８】
以下の段階を含む、カテーテルを体腔内に固定する方法であって、カテーテルを導入器の中に進める段階により、リング部品が導入器のハブに接触し、管状部の遠位領域でループが形成されるような方法：
近位端と遠位端との間にわたる長軸方向のチャネルを有するシースと、長軸方向のチャネルを有しシースの近位端に接続されるハブとを有する導入器を体腔内に挿入する段階；
ハブと管状部と少なくとも1つの細長部品とリング部品とを含むカテーテルであって、管状部が遠位領域と近位領域とを有し、ハブが管状部の近位領域に取り付けられ、細長部品が近位端と遠位端とを有し、細長部品の遠位端が遠位領域の管状部に取り付けられ、細長部品の近位端がリング部品に取り付けられ、且つ、細長部品がカテーテルの外表面に沿ってリング部品と管状部の遠位領域との間に少なくとも一部分わたるカテーテルを導入器に挿入する段階；
カテーテルのハブが導入器のハブと隣接するまで、カテーテルを導入器の中に進める段階；ならびに
カテーテルのハブを導入器のハブに取り付ける段階。
【請求項５９】
以下の段階を含む、カテーテルの遠位端でループを形成する方法であって、カテーテルのハブがリング部品と隣接するまでカテーテルを導入器の中に進める段階により、リング部品が導入器のハブに接触し、管状部の遠位領域でループが形成されるような方法：
近位端と遠位端との間にわたる長軸方向のチャネルを有するシースと、長軸方向のチャネルを有しシースの近位端に接続されるハブとを有する導入器であって、接続されたハブおよびシースが長さを有する導入器を体腔内に挿入する段階；
ハブと管状部と少なくとも1つの細長部品とリング部品とを含むカテーテルであって、管状部が遠位領域を有し、細長部品が長さと近位端と遠位端とを有し、細長部品の遠位端が管状部の遠位領域に取り付けられ、細長部品の近位端がリング部品に取り付けられる、カテーテルを体腔内に挿入する段階；
リング部品が導入器のハブと隣接するまで、カテーテルを導入器の中に進める段階；
カテーテルのハブがリング部品と隣接するまで、カテーテルを導入器の中に進める段階。
【請求項６０】
細長部品の長さが、ハブおよびシースの長さより約1mm〜10 mm長い、請求項59記載のループを形成する方法。
【請求項６１】
以下の段階を含む、体腔内のドレナージカテーテルを交換する方法：
近位端と遠位端との間にわたる長軸方向のチャネルを有するシースと、長軸方向のチャネルを有しシースの近位端に接続されるハブとを有する導入器を体腔内に挿入する段階；
ハブと、管状部と、少なくとも1つの細長部品と、リング部品とを含む第一のドレナージカテーテルであって、管状部が遠位領域と近位領域とを有し、ハブが管状部の近位領域に取り付けられ、細長部品が近位端と遠位端とを有し、細長部品の遠位端が遠位領域の管状部に取り付けられ、細長部品の近位端がリング部品に取り付けられ、且つ、細長部品が第一のドレナージカテーテルの外表面に沿ってリング部品と管状部の遠位領域との間に少なくとも一部分わたる第一のドレナージカテーテルを導入器に挿入する段階；
カテーテルのハブが導入器のハブと隣接し且つ第一のドレナージカテーテルの遠位領域によって体腔内にループが形成されるまで、第一のドレナージカテーテルを導入器の中に進める段階；
カテーテルのハブを導入器のハブに取り外し可能な状態で接続する段階；
第一のドレナージカテーテルを用いて体腔から液体をドレナージする段階；
カテーテルのハブを導入器のハブから取り外す段階；
導入器を体腔内に残したまま第一のドレナージカテーテルを引き抜く段階；ならびに
第二のドレナージカテーテルを導入器に挿入する段階。
【請求項６２】
体内の体腔抜き取る方法であって、以下の段階を含む方法：
近位端と遠位端との間にわたる長軸方向のチャネルを有するシースと、長軸方向のチャネルを有しシースの近位端に接続されるハブとを含む導入器を体腔内に挿入する段階；
ハブと、管状部と、少なくとも1つの細長部品と、リング部品とを含む第一のドレナージカテーテルであって、管状部が遠位領域と近位領域とを有し、ハブが管状部の近位領域に取り付けられ、細長部品が近位端と遠位端とを有し、細長部品の遠位端が遠位領域の管状部に取り付けられ、細長部品の近位端がリング部品に取り付けられ、且つ、細長部品が第一のドレナージカテーテルの外表面に沿ってリング部品と管状部の遠位領域との間に少なくとも一部分わたる第一のドレナージカテーテルを導入器に挿入する段階；
カテーテルのハブが導入器のハブと隣接し且つ第一のドレナージカテーテルの遠位領域によって体腔内にループが形成されるまで、第一のドレナージカテーテルを導入器の中に進める段階；
カテーテルのハブを導入器のハブに取り外し可能な状態で接続する段階；ならびに
第一のドレナージカテーテルを用いて体腔から液体をドレナージする段階。
【請求項６３】
請求項62記載の体内の体腔を抜き取る方法であって、以下の段階をさらに含む方法：
カテーテルのハブを導入器のハブから取り外す段階；
第一のドレナージカテーテルを引き抜く段階；および
第二のドレナージカテーテルを導入器に挿入する段階。
【請求項６４】
第一および第二の体腔を同時に抜き取る方法であって、以下の段階を含む方法：
近位端と遠位端との間にわたる長軸方向のチャネルを有するシースと、長軸方向のチャネルを有しシースの近位端に接続されるハブとを含む導入器を体腔内に挿入する段階；
ハブと、管状部と、少なくとも1つの細長部品と、リング部品とを含む第一のドレナージカテーテルであって、管状部が遠位領域と近位領域とを有し、ハブが管状部の近位領域に取り付けられ、細長部品が近位端と遠位端とを有し、細長部品の遠位端が遠位領域の管状部に取り付けられ、細長部品の近位端がリング部品に取り付けられ、細長部品が第一のドレナージカテーテルの外表面に沿ってリング部品と管状部の遠位領域との間に少なくとも一部分わたり、且つ、管状部が細長部品と管状部の遠位領域との連結部より遠位側に配置される第一のループを有する、第一のドレナージカテーテルを導入器に挿入する段階；
カテーテルのハブが導入器のハブと隣接し、且つ、第一の体腔内に第一のループが配置され且つ第一のドレナージカテーテルの遠位領域の一部によって第二の体腔内に第二のループが形成されるまで、第一のドレナージカテーテルを導入器の中に進める段階；
カテーテルのハブを導入器のハブに取り外し可能な状態で接続する段階；ならびに
第一のドレナージカテーテルを用いて第一および第二の体腔から液体をドレナージする段階。
【請求項６５】
請求項64記載の第一および第二の体腔を抜き取る方法であって、以下の段階をさらに含む方法：
カテーテルのハブを導入器のハブから取り外す段階；
第一のドレナージカテーテルを引き抜く段階；および
第二のドレナージカテーテルを導入器に挿入する段階。